(57)【要約】      （修正有）【課題】ＴＩＧ溶接作業においてワンタッチ操作で溶接棒の取り外し作業が簡易に行え、同時に溶接棒の廃棄長さを短くできる保持治具を提供する。【解決手段】押付け力が付勢されたバネを設けた主保持部５ａと、主保持部５ａに内接された副保持部５ｂとにより溶接棒４の係止部５を構成し、さらに副保持部５ｂにコイルバネ８を介して嵌挿された摺動部７を設けた保持治具３であって、溶接棒４はその側面を付勢バネ６により押付けられて係止され、摺動部７をコイルバネ８に抗して摺動させることにより、主保持部５ａに付勢バネ６により係止された溶接棒４を離脱させることを特徴とするＴＩＧ溶接等に用いられる溶接棒の保持治具３である。主保持部５ａ、副保持部５ｂおよび摺動部７がアルミニュウムまたはアルミニュウム合金で構成するのが望ましい。【選択図】図２
0003143830.tif 000002
【実用新案登録請求の範囲】
【請求項１】
押付け力が付勢されたバネを設けた主保持部と、主保持部に内接された副保持部とにより溶接棒の係止部を構成し、さらに前記副保持部にコイルバネを介して嵌挿された摺動部を設けた保持治具であって、
溶接棒はその側面を付勢バネにより押付けられて係止され、前記摺動部をコイルバネに抗して摺動させることにより、前記主保持部に付勢バネにより係止された溶接棒を離脱させることを特徴とするＴＩＧ溶接等に用いられる溶接棒の保持治具。
【請求項２】
前記主保持部、副保持部および摺動部がアルミニュウムまたはアルミニュウム合金で構成されていることを特徴とする請求項１に記載の溶接棒の保持治具。
【考案の詳細な説明】
【技術分野】
【０００１】
本考案は、ＴＩＧ溶接やプラズマ溶接（以下、単に「ＴＩＧ溶接等」という）に用いられる溶接棒の保持治具に関し、さらに詳しくは、溶接棒の着脱作業が簡易であり、且つ溶接棒の廃棄長さ（残棒）も短くできることから、ＴＩＧ溶接等の効率化を図ることができる溶接棒の保持治具に関するものである。
【背景技術】
【０００２】
イナートガスアーク溶接は、アルゴンやヘリウムなど高温でも金属と反応しない不活性ガス（イナートガス）の雰囲気中において、裸のタングステン電極棒または金属電極線に通電して溶接ワークとの間にアークを発生させ、その熱で溶接を行う方式である。裸のタングステン電極棒と溶接棒を用いる場合がＴＩＧ溶接（Inert-Gas Tungsten-arc welding）、また金属電極線を溶接棒と兼用させて用いる場合がＭＩＧ溶接として慣用されている。
【０００３】
溶接ワークの材料として、薄板や管材のステンレス鋼、合金鋼、さらにアルミニウムを用いる場合には、上述のＴＩＧ溶接が多用されている。例えば、図１は、プレートフィン型熱交換器の全体構成を示す斜視図であるが、同図に示すヘッダータンク１を熱交ブロック２の本体に溶接する場合には、ＴＩＧ溶接が用いられる。さらに、ヘッダータンクそのものの製作においてもＴＩＧ溶接が適用されている。
【０００４】
ＴＩＧ溶接を実施する場合、タングステン電極棒と溶接ワークの間でアークを発生させるための溶接トーチを保持するとともに、アーク熱を利用し溶融させて溶接ワークを溶接するため、片方の手で溶接棒を保持し、溶接棒の供給を続ける。溶接作業の安全対策として、アークからの強い光線を避け、作業者の目を保護するために、シールドを頭部に装着するとともに、作業者は手袋、ひざかけ等を使用することが必須となる。
【考案の開示】
【考案が解決しようとする課題】
【０００５】
ところが、ＴＩＧ溶接作業においてはアークにより高熱が発生するため、溶接棒は高温になり、両手に保護用の手袋等を着用していても、溶接棒を保持できない。具体的には、前記図１に示すヘッダータンク１のＴＩＧ溶接に際して、通常、棒径が４．０〜５．０ｍｍで長さが１０００ｍｍの溶接棒を用いるが、残棒の長さが１５０〜２００ｍｍ程度になると保持できず、廃棄しなければならなくなる。
【０００６】
保持治具に関し、従来からグラビティ溶接法などにおいて、溶接棒の挟持および取り替え作業を簡略に行うため、各種の溶接機用ホルダーが提案されている（例えば、実開昭５７−１９４７８８号公報を参照）。しかし、グラビティ溶接法では、溶接開始時には溶接棒の先端と溶接ワークとを接触させることによりアークを発生させ、その後、連続溶接を行う方式であることから、ホルダーへ溶接棒を挟持させるのが必要になるとともに、溶接開始時の衝撃に耐えるためにホルダーは重く、取り替え作業は煩雑なものになる。また、グラビティ溶接では、作業者はその作業中に溶接棒を保持する必要がない。
【０００７】
したがって、グラビティ溶接法において提案された溶接機用ホルダーは、ＴＩＧ溶接に適用するのが困難である。しかも、ＴＩＧ溶接作業では、溶接トーチを保持し、片方の手で溶接棒を保持する必要があるため、溶接棒の取り替えを効率的に行うには、手袋を着用していてもワンタッチ操作のような簡易な作業が必要になる。このような問題は、ＴＩＧ溶接作業に限定されるものではなく、プラズマ溶接作業においても同様の問題がある。
【０００８】
本考案は、上記従来技術の問題点を鑑みてなされたものであり、溶接棒の着脱作業が簡易で作業性に優れ、且つ溶接棒の廃棄長さを短くでき歩留まりも良好であり、ＴＩＧ溶接等に最適な溶接棒の保持治具を提供することを目的とするものである。
【課題を解決するための手段】
【０００９】
本考案は、前記の課題を解決するためなされたものであり、下記（１）および（２）の溶接棒の保持治具を要旨としている。本願明細書においてはＴＩＧ溶接に基づいて説明しているが、その作用効果はこれに限定されるものではなく、ＴＩＧ溶接やプラズマ溶接に用いられる溶接棒の保持治具に適用できる。
（１）押付け力が付勢されたバネを設けた主保持部と、主保持部に内接された副保持部とにより溶接棒の係止部を構成し、さらに前記副保持部にコイルバネを介して嵌挿された摺動部を設けた保持治具であって、溶接棒はその側面を付勢バネにより押付けられて係止され、前記摺動部をコイルバネに抗して摺動させることにより、前記主保持部に付勢バネにより係止された溶接棒を離脱させることを特徴とするＴＩＧ溶接等に用いられる溶接棒の保持治具である。
【００１０】
（２）上記（１）の溶接棒の保持治具では、前記主保持部、副保持部および摺動部がアルミニュウムまたはアルミニュウム合金で構成するのが望ましい。保持治具の軽量化が図れ、一層、ＴＩＧ溶接作業等の最適化を図ることができる。
【考案の効果】
【００１１】
本考案の溶接棒の保持治具によれば、簡易な構造であって、ワンタッチ操作で溶接棒の取り外し作業が簡易に行え、同時に溶接棒の廃棄長さを短くでき、溶接棒が短くなった場合でも、手袋をした手で離脱できることから、溶接時の作業性に優れるとともに溶接棒歩留まりの向上が図れ、ＴＩＧ溶接作業等の効率化を達成することができる。
【考案を実施するための最良の形態】
【００１２】
本考案の溶接棒の保持治具は、押付け力が付勢されたバネを設けた主保持部と、主保持部に内接された副保持部とにより溶接棒の係止部を構成し、さらに前記副保持部にコイルバネを介して嵌挿された摺動部を設ける。
【００１３】
この保持治具をＴＩＧ溶接に用いることにより、前記摺動部をコイルバネに抗して摺動させることにより、前記主保持部に付勢バネにより係止された溶接棒を離脱させることができる。これにより、手袋を着用した片手であってもワンタッチ操作が可能であり、ＴＩＧ溶接での作業性を大幅に改善することができる。
【００１４】
さらに、本考案の溶接棒の保持治具を用いることにより、高温の溶接棒であっても短尺になるまで保持することができ、残棒を極めて短くできる。しかし、過度に短尺になるまで保持すると、保持治具そのものを損傷するおそれがあることから、溶接棒の長さが３０〜５０ｍｍ程度になると廃棄するのが望ましい。
【００１５】
本考案の溶接棒の保持治具は、軽量化を図るため、溶接棒の係止部を形成する主保持部、副保持部および摺動部をアルミニュウムまたはアルミニュウム合金で構成するのが望ましい。棒径が４．０〜５．０ｍｍで長さが１０００ｍｍの溶接棒を用いる場合には、溶接当初より保持治具を溶接棒に取り付けていても、ＴＩＧ溶接作業に支障を生ずることがないことから、溶接棒毎に連続作業が可能になる。
【実施例】
【００１６】
以下、本考案の実施例を図面に基づいて説明する。以下では、ＴＩＧ溶接に基づいて説明しているが、その作用効果はプラズマ溶接にも適用できる。
図２は、本考案の実施例を示すＴＩＧ溶接に用いられる溶接棒の保持治具の斜視図である。図３は、本考案の実施例を示す保持治具の部品構成を示す図である。
【００１７】
図２に示すように、保持治具３は、溶接棒の係止部５とこの係止部５にコイルバネ８を介して嵌挿された摺動部７とから構成される。そして、係止部５は押付け力が付勢されたバネ６を設けた主保持部５ａと、主保持部に内接された副保持部５ｂとにより構成されており、付勢バネ６の押付け力により、主保持部５ａの入側より挿入された溶接棒４を係止することができる。
【００１８】
図３に示すように、主保持部５ａに押付け力が作用するように付勢バネ６を設けるため、主保持部５ａには予めバネ用溝５ｃおよびバネ用孔５ｄが加工されている。このバネ用溝５ｃおよびバネ用孔５ｄに付勢バネ６を収容することにより、押付け力が作用し主保持部５ａの内面で溶接棒４を確実に係止できる。
【００１９】
本考案で採用する係止部５は、付勢バネ６の押付け力により溶接棒４を係止する方式であることから、主保持部５ａの内径を溶接棒４の最大径を許容する寸法にすることにより、棒径に応じて保持治具３を取り替える必要がない。
【００２０】
前記図１に示すヘッダータンク１のＴＩＧ溶接に使用する溶接棒は、その溶接条件に応じて棒径を細分すれば、３．２ｍｍ、４．０ｍｍ、４．８ｍｍおよび５．０ｍｍとなる。本考案の実施例であれば、この範囲の棒径の変化であれば、同じ保持治具で対応することができる。
すなわち、溶接棒を係止する付勢バネは、溶接棒の側面から押付け力が加わるように構成されていることから、溶接棒の挿入および離脱が簡単になり、同時に３．２ｍｍ〜５．０ｍｍ程度の棒径であれば、フレキシブルに対応することができる。
【００２１】
図４は、本考案の実施例において係止された溶接棒を離脱させる状態を示す図である。溶接棒４の離脱に用いられる摺動部７は、前記図３に示すように、摺動ピン７ａおよびその片端に取り付けられたストッパー７ｂからなり、コイルバネ８を介して副保持部５ｂに嵌挿されように構成される。したがって、摺動部７をコイルバネ８に抗して摺動させることにより、係止部５に保持された溶接棒４を容易に離脱させることができる。ただし、摺動ピン７ａの先端部は副保持部５ｂから抜けないようにするために、端部に偏平加工を施してある。
【００２２】
本考案の摺動部７が上記の構造であり、図４に示すように溶接棒４を離脱させることができることから、ＴＩＧ溶接作業の際に、溶接トーチを保持し、片方の手で溶接棒の保持治具を保持している場合であっても、ワンタッチ操作で溶接棒の残棒を簡易に廃棄できる。
【００２３】
さらに、本考案の保持治具では、ワンタッチ操作で溶接棒の離脱が可能であることから、保持治具の損傷防止にも好適である。前述の通り、保持治具の損傷を回避するため残棒が３０〜５０ｍｍになると廃棄するのが望ましいとしているが、この範囲を超えた場合でも、ワンタッチ操作で溶接棒の離脱ができる。したがって、ＴＩＧ溶接作業における保持治具の寿命延長も図ることができる。
【産業上の利用可能性】
【００２４】
本考案の溶接棒の保持治具によれば、簡易な構造であって、ワンタッチ操作で溶接棒の取り外し作業が簡易に行え、同時に溶接棒の廃棄長さを短くでき、溶接棒が短くなった場合でも、手袋をした手で離脱できることから、溶接時の作業性に優れるとともに溶接棒歩留まりの向上が図れ、ＴＩＧ溶接作業等の効率化を達成することができる。これによりＴＩＧ溶接に用いられる溶接棒の保持治具として広く利用することができる。
【図面の簡単な説明】
【００２５】
【図１】プレートフィン型熱交換器の全体構成を示す斜視図である。
【図２】本考案の実施例を示すＴＩＧ溶接に用いられる溶接棒の保持治具の斜視図である。
【図３】本考案の実施例を示す保持治具の部品構成を示す図である。
【図４】本考案の実施例において係止された溶接棒を離脱させる状態を示す図である。
【符号の説明】
【００２６】
１：ヘッダータンク、  ２：熱交ブロック
３：保持治具、  ４：溶接棒
５：係止部、  ５ａ：主保持部
５ｂ：副保持部、  ５ｃ：バネ用溝
５ｄ：バネ用孔、  ６：付勢バネ
７：摺動部、  ７ａ：摺動ピン
７ｂ：ストッパー、  ８：コイルバネ
【図１】
0003143830.tif 000003
【図２】
0003143830.tif 000004
【図３】
0003143830.tif 000005
【図４】
0003143830.tif 000006